(57)【特許請求の範囲】
【請求項１】
シャツタ枠体と、このシャツタ枠体の左右側の鉛直方向に設けた立上枠体部に枢着した複数枚のシャツタプレートと、この複数枚のシャツタプレートに設けた連動板と、で構成されるシャツタであって、
このシャツタプレートは、その基端側長手方向に段落し部を形成するとともに、この段落し部の左右側に、前記立上枠体部枢着用のブラケットをそれぞれ設け、また、シャツタプレートの自由端側には、前記段落し部に積層する庇部を形成し、また、前記段落し部と庇部との間には平坦部を形成する構成とし、
この平坦部の長手方向の両端部が、前記立上枠体部の枠体表面に添接する構成とし、
また、この平坦部の両端部の裏面に磁石を取付けとともに、前記枠体表面を磁性体とすることを特徴とした高気密性のシャツタ。
【請求項２】
請求項１に記載の高気密性のシャツタであって、
前記段落し部は、基端側の端部に雨水用の折返し突条を、前記長手方向に延設する構成とした高気密性のシャツタ。
【請求項３】
請求項１に記載の高気密性のシャツタであって、
前記段落し部には、前記庇部が積層して閉塞される構成とした高気密性のシャツタ。
【請求項４】
請求項１に記載の高気密性のシャツタであって、
前記磁石は、両端部で、かつ平端部の短手方向の全体に設けられる構成とした高気密性のシャツタ。
【発明の詳細な説明】
【技術分野】
【０００１】
本発明は、シャツタのシャツタプレートのバタ付きをなくした高気密性のシャツタに関する。
【背景技術】
【０００２】
従来のシャツタは、大別すると、［イ］の構造として、多数枚のシャツタプレートが、シャツタ枠体内に収容される構成と、［ロ］の構造として、多数枚のシャツタプレートの平坦部の長手方向の両端部が、シャツタ枠体の立上枠体部の枠体表面に添接する構成とに分けられる。そして、このシャツタの気密性を考えた場合には、前記［イ］においては，シャツタ枠体の内面側と、シャツタプレートの長手方向の両端部との間に隙間が発生し、気密性に問題がある。しかし、［ロ］においては、シャツタプレートの両端部が、シャツタ枠体の立上枠体部の枠体表面に添接する構造であり、前記［イ］の隙間が解消されることから、シャツタの気密性は確保されている。
【０００３】
しかしながら、このシャツタプレートは、軽量で、薄肉板状で構成するとともに、シャツタの長手方向が、その短手方向に対して、極度に長く、略７倍となることから、シャツタプレートが歪み易い。従って、前記シャツタプレートの両端部が、シャツタ枠体の立上枠体部の枠体表面にピッタリと添接する閉塞状態（シャツタプレートの添接閉塞構造）を確保するに、問題がある。また、シャツタプレートを正確に装置しても、公差からシャツタプレートの添接閉塞構造を確保することにも、問題を抱えている。
【０００４】
また、前記の如く、シャツタプレートの添接閉塞構造であっても、この添接閉塞構造では、一度、シャツタプレートがガタ付いたときには、この添接が崩れ、隙間が発生することが間々あり、この隙間が生ずると、粉雪、風、雨等の換気扇及び／又はハウス内への侵入があり、エネルギーロスと、作物に悪影響を与えること等の弊害がある。
【０００５】
以上の添接閉塞構造による問題（閉塞構造）の改良として、磁石、スプリング、又はフック等の固着手段を介して、シャツタプレートを閉塞する構造が提案されているので、この提案の中で、本発明と関連がある磁石を利用した閉塞構造を説明する。
【０００６】
文献（１）は、特開昭５２−９５８６５号の「換気扇の風圧式シャツタ（変更、以下同じ）開閉装置」がある。この発明は、本体枠の開放部に枢着した複数枚のシャツタプレートと、このシャツタプレートの基端側を連繋する連杆（連動板）で構造した換気扇であって、この連杆の上昇時に、シャツタプレートを閉塞し、閉塞状態を確保し、かつこの上昇した連杆を磁石で磁着し、この閉塞状態と上昇を確保することを特徴とする。この発明は、連杆を磁石で磁着する際に、新たに、磁石、並びに電磁石と取付片を設ける必要があり、かつ電磁石を要することで、設置場所の限定があること、部品点数が増えること、又は故障の要因となること、等の問題を抱えている。この文献（１）は、複数枚のシャツタプレートを、一個の磁石で磁着する構造であり、僅かな衝撃でガタ付き、閉塞が崩れる虞があること、大型のシャツタには、適さないこと、等の改良点を残している。また、この文献（１）は、磁着方向とシャツタプレートの開放方向とが、相対方向となり（シーソー関係）、シャツタプレートの開放方向に風圧等の衝撃が発生した場合に、一個の磁石で磁着できないことが考えられる。そして、この文献（１）は、従来のシャツタと同じであり、前記［イ］の隙間の問題が改良されていない。
【０００７】
文献（２）は、実開平１−１５１１４２号の「換気扇シャツタの開閉機構」がある。この考案は、文献（１）の発明と、略同じ構造であるが、シャツタプレート（シャツタ本体）に設けた磁石と、フレームに設けたソレノイドとで閉塞する構造である。この考案は、シャツタプレートに磁石を設ける構造であり、シャツタプレートのバランスに悪影響すること、この磁石を設けたシャツタプレートと連結棒（連杆）を介して、他のシャツタプレートの閉塞を確保する構造であり、閉塞の確実性に課題があること、各部品の連繋が崩れることで、この閉塞維持が困難となること、等の改良点がある。また、このシャツタプレートと連結棒を介して、他のシャツタプレートの閉塞を確保する構造では、大型のシャツタには、適さない構造である。その他は、前述の文献（１）と同じ問題を抱えている。
【０００８】
文献（３）は、実開昭５９−３８６２５号「換気扇のシャツタ装置」がある。この考案は、大筋で、文献（２）の考案と略同じ構造であるが、一枚のシャツタプレート（シャツタ）に設けた磁石と、換気扇本体に設けた磁性体とで閉塞する構造である。この考案の問題点は、文献（２）と略同じである。その他は、前述の文献（１）と同じ問題を抱えている。
【０００９】
文献（４）は、実公昭６０−２２２５０号の「換気扇装置」でがある。この考案は、文献（１）と大筋で類似する。
【００１０】
文献（５）は、実用新案登録第２５９４３９７号の「換気扇」である。この考案は、文献（１）と大筋で類似する。
【００１１】
【特許文献１】特開昭５２−９５８６５号
【特許文献２】実開平１−１５１１４２号
【特許文献３】実開昭５９−３８６２５号
【特許文献４】実公昭６０−２２２５０号
【特許文献５】実用新案登録第２５９４３９７号
【発明の概要】
【発明が解決しようとする課題】
【００１２】
前述した文献（１）〜文献（５）の発明、考案では、その構造より、検討すると、小型の換気扇、シャツタには適する反面、本発明が意図する大型のシャツタには、採用できない構造である。その理由を以下に説明する。
（１）  この文献（１）〜文献（５）では、単独の（一つの）磁石と、磁性体とによる磁着面積（接触面積）で、シャツタプレート（シャツタ）の閉塞状態を確保するには、限界がある。従って、シャツタプレートに僅かな衝撃があった場合に、このシャツタプレートの閉塞が崩れる虞がある。
（２）  この文献（１）〜文献（５）では、磁石と、磁性体を、風胴（本体枠、フレーム、又は換気扇本体等）内に設置する構造であり、通路を邪魔することになり、風の流れを乱すこと、又は騒音の要因となること、等の弊害が考えられる。
（３）  この文献（１）〜文献（５）では、磁石と、磁性体を、風胴（本体枠、フレーム、又は換気扇本体等）内に設置する構造であり、この磁石、又は磁性体を大きくすることは不可能であり、当然に、小型のシャツタに限定される本質的な理由がある。
（４）  また、この文献（１）〜文献（５）では、シャツタ（換気扇）の高気密性が図れず、隙間が生ずることが考えられることから、粉雪、風等の換気扇及び／又は建屋内への侵入があり、エネルギーロスが考えられること、また、ハウスでは、作物に悪影響を与えること等の弊害がある。
（５）  さらに、この文献（１）〜文献（５）では、シャツタ枠体の内面側と、シャツタプレートの長手方向の両端部との間に隙間が発生し、気密性に問題がある。従って、寒冷地、山間部等の気象条件が厳しい地域では、僅かな隙間からの粉雪、風等の換気扇及び／又は建屋内への侵入が考えられ、エネルギーロスとか、ハウスにおいて、作物に悪影響を与えること等の弊害がある。
【課題を解決するための手段】
【００１５】
請求項１の発明は、大型のシャツタに最適なシャツタプレートの閉塞構造（磁着方向と隙間風雨、雪等の方向が対峙関係となる閉塞構造）を提供すること、また、複数枚のシャツタプレートを、それぞれ個別に確実に磁着（着磁、当接、止着、持着）することで（シャツタプレートの単独での磁着を介して）、安定した閉塞状態を確保すること、を意図する。そして、また、請求項１の発明は、立上枠体部の枠体表面に添接する構成のシャツタプレートと、このシャツタプレートの単独での磁着を介して、閉塞する構造であり、この種のシャツタの略１００％の閉塞と、この閉塞の安定性を確保し、シャツタプレートの高気密性を図り、もって、隙間からの粉雪、風、雨等の侵入防止と、エネルギーロスの大幅な減少化、ＣＯ２の削減化、並びにハウスでは、作物への悪影響を回避とを図ること、等を意図する。さらに、請求項１の発明は、シャツタの開口（風洞）を塞ぐ手段による磁着構造ではないので、内気の排気と、外気の吸込との送風面積の確保と、その量を確保すること、騒音の発生を回避すること、等を意図する。
【００１６】
請求項１の発明は、シャツタ枠体と、このシャツタ枠体の左右側の鉛直方向に設けた立上枠体部に枢着した複数枚のシャツタプレートと、この複数枚のシャツタプレートに設けた連動板と、で構成されるシャツタであって、
このシャツタプレートは、その基端側長手方向に段落し部を形成するとともに、この段落し部の左右側に、前記立上枠体部枢着用のブラケットをそれぞれ設け、また、シャツタプレートの自由端側には、前記段落し部に積層する庇部を形成し、また、前記段落し部と庇部との間には平坦部を形成する構成とし、
この平坦部の長手方向の両端部が、前記立上枠体部の枠体表面に添接する構成とし、
また、この平坦部の両端部の裏面に磁石を取付けとともに、前記枠体表面を磁性体とすることを特徴とした高気密性のシャツタである。
【００１７】
請求項２の発明は、請求項１の意図を達成すること、また、シャツタプレートの防水効果と、遮断効果を図ること、等を意図する。
【００１８】
請求項２は、請求項１に記載の高気密性のシャツタであって、
前記段落し部は、基端側の端部に雨水用の折返し突条を、前記長手方向に延設する構成とした高気密性のシャツタである。
【００１９】
請求項３の発明は、請求項１の意図を達成すること、また、シャツタプレートの高気密性を達成できる構造を提供すること、等を意図する。
【００２０】
請求項３は、請求項１に記載の高気密性のシャツタであって、
前記段落し部には、前記庇部が積層して閉塞される構成とした高気密性のシャツタである。
【００２１】
請求項４の発明は、請求項１の意図を達成すること、また、シャツタプレートの高気密性を達成できる磁石の構造を提供すること、等を意図する。
【００２２】
請求項４は、請求項１に記載の高気密性のシャツタであって、
前記磁石は、両端部で、かつ平端部の短手方向の全体に設けられる構成とした高気密性のシャツタである。
【発明の効果】
【００２５】
請求項１の発明は、シャツタ枠体と、シャツタ枠体の左右側の鉛直方向に設けた立上枠体部に枢着した複数枚のシャツタプレートと、複数枚のシャツタプレートに設けた連動板と、で構成されるシャツタであって、
シャツタプレートは、基端側長手方向に段落し部を形成するとともに、段落し部の左右側に、立上枠体部枢着用のブラケットをそれぞれ設け、また、シャツタプレートの自由端側には、段落し部に積層する庇部を形成し、また、段落し部と庇部との間には平坦部を形成する構成とし、
平坦部の長手方向の両端部が、立上枠体部の枠体表面に添接する構成とし、
また、平坦部の両端部の裏面に磁石を取付けとともに、枠体表面を磁性体とすることを特徴とした高気密性のシャツタである。
【００２６】
従って、請求項１は、大型のシャツタに最適なシャツタプレートの閉塞構造を提供できること、また、複数枚のシャツタプレートを、それぞれ個別に確実に磁着することで、安定した閉塞状態を確保できること、等の特徴を有する。そして、また、請求項２は、立上枠体部の枠体表面に添接する構成のシャツタプレートと、このシャツタプレートの単独での磁着を介して、閉塞する構造であり、この種のシャツタの略１００％の閉塞と、この閉塞の安定性を確保し、シャツタプレートの高気密性を図り、もって、隙間からの粉雪、風、雨等の侵入防止と、エネルギーロスの大幅な減少化、ＣＯ２の削減化、並びにハウスでは、作物への悪影響を回避できること、等の実益がある。さらに、請求項２は、シャツタの開口を塞ぐ手段による磁着構造ではないので、内気の排気と、外気の吸込との送風面積の確保と、その量を確保すること、騒音の発生を回避できること、等の特徴を有する。
【００２７】
請求項２は、請求項１に記載の高気密性のシャツタであって、
段落し部は、基端側の端部に雨水用の折返し突条を、長手方向に延設する構成とした高気密性のシャツタである。
【００２８】
従って、請求項２の発明は、請求項１の意図を達成できること、また、シャツタプレートの防水効果と、遮断効果を図ること、等の特徴を有する。
【００２９】
請求項３の発明は、請求項１、又は請求項２に記載の高気密性のシャツタであって、
段落し部には、庇部が積層して閉塞される構成とした高気密性のシャツタである。
【００３０】
従って、請求項３は、請求項１の意図を達成できること、また、シャツタプレートの高気密性を達成できる構造を提供できること、等の特徴を有する。
【００３１】
請求項４の発明は、請求項１に記載の高気密性のシャツタであって、
磁石は、両端部で、かつ平端部の短手方向の全体に設けられる構成とした高気密性のシャツタである。
【００３２】
従って、請求項４の発明は、請求項１の意図を達成できること、また、シャツタプレートの高気密性を達成できる磁石の構造を提供できること、等の特徴を有する。
【図面の簡単な説明】
【００３３】
【図１】シャツタの開放状態の正面模式図
【図２】シャツタの開放状態の背面模式図
【図３】シャツタの開放状態の側面模式図
【図４】シャツタプレートの一部省略の正面拡大模式図
【図５−１】シャツタプレートの一部省略した裏面拡大模式図
【図５−２】シャツタプレートに磁石を設け、かつその一部省略した裏面拡大模式図
【図６】シャツタプレートの側面拡大模式図
【図７】シャツタプレートの断面拡大模式図
【図８】シャツタの閉塞状態の正面模式図
【図９】シャツタの閉塞状態の側面模式図
【発明を実施するための形態】
【００３４】
以下、本発明の好ましい一実施例を説明する。
【００３５】
図中１は方形状を呈するシャツタ枠体で、このシャツタ枠体１は、ハウスの躯体の方形状の空間開口（換気口、又は吸込口等）に取付けられる。尚、換気扇付きシャツタでは、ケーシング２の内側に取付けられる構造と、このケーシング２と兼用とする構造がある。また、風圧（吸込）シャツタは、このシャツタの躯体となる。このシャツタ枠体１は、方形枠を構成する枠体部１００と、この枠体部１００より正面視して、鉛直方向に立ち上がった立上枠体部１０１とで構成される。そして、この立上枠体部１０１の四方向の自由端は、内側方向に曲折された枠体表面１０１−１を有する。
【００３６】
そして、このシャツタ枠体１の左右側の立上枠体部１０１、１０１には、複数枚のシャツタプレート５、５、５等（各シャツタプレート５とする）が枢着されているが、このシャツタプレート５の長手方向Ｘの端部５ａ、５ａで、かつその短手方向Ｙの基端側５ｂであって、その裏面側５ｃには、左右対のブラケット６、６（６とする。以下、対の場合には、一方の符号を省略する）を突設する。この対のブラケット６は、この左右側の立上枠体部１０１、１０１に軸支した枢軸７、７を介して枢支されていることで、このシャツタプレート５は、対のブラケット６を支点として可動し、その自由端側５ｄが、開放、又は閉塞される構造である。
【００３７】
尚、このシャツタプレート５は、基端側５ｂ長手方向Ｘに段落し部５００（差込み部）を、例えば、長手方向Ｘに同じ幅の帯状に形成するとともに、この段落し部５００の左右側に、前記対のブラケット６をそれぞれ設け、このブラケット６及び／又は枢軸７を介して、各シャツタプレート５を、シャツタ枠体１に可動自在、即ち、開閉自在に枢着する構造である。そして、このシャツタプレート５の短手方向Ｙの自由端側５ｄ長手方向Ｘには、下がり傾斜面を有する庇部５０１を形成する。この庇部５０１は、シャツタプレート５を閉塞時において、下段に取付けた別のシャツタプレート５の段落し部５００を覆い（重畳積層される）、この段落し部５００への風雨と雪等の侵入防止を図る。そして、前記段落し部５００と庇部５０１との間には平坦部５０２を形成する。また、このシャツタプレート５を、前記シャツタ枠体１に枢着し、かつ、その平坦部５０２を枠体表面１０１−１に添接するための工夫がある。その一例は、段落し部５００は競り上がり傾斜面を介して平坦部５０２に連設されるとともに、この段落し部５００を、シャツタ枠体１の立上枠体部１０１間に枢着するために、その長手方向Ｘの端部５ａ、５ａで、かつその短手方向Ｙの基端側５ｂに、切欠き部５００ａ、５００ａを形成する。また、庇部５０１は、前記段落し部５００を覆い、かつその一部が、シャツタ枠体１内に挿入できるように、その長手方向Ｘの端部５ａ、５ａで、かつその短手方向Ｙの自由端側５ｄに、切欠き部５０１ａ、５０１ａを形成する。また、前記段落し部５００の競り上がり傾斜面の高さ（平坦部５０２との連設箇所の高さ）は、平坦部５０２を、枠体表面１０１−１に添接するための必要性であり、この結果、この平坦部５０２の高さは、段落し部５００より高く構成する。また、庇部５０１の下がり傾斜面は、シャツタプレート５の閉塞時に、この庇部５０１が、前記段落し部５００を覆い、かつ段落し部５００への風雨と雪等の侵入防止を図るために設けられており、この下がり傾斜面の先端部が、段落し部５００の表面に添接される構造である。
【００３８】
そして、この各シャツタプレート５の裏面側５ｃで、かつその長手方向Ｘの両端部には、必要により、磁石１０を設ける。この磁石１０は、閉塞時に、磁性体でなる枠体表面１０１−１に磁着（着磁、当接、止着、持着）される。シャツタプレート５の両端の裏面側５ｃの枠体表面１０１−１（シャツタ枠体１）への密着状態（高密着性）と、このシャツタプレート５の閉塞状態の強着性が確保される。また、各シャツタプレート５の表面側５ｅで、段落し部５００の先端側（基端側の端部）には、折返し突条５０３を形成し、この折返し突条５０３を、その長手方向Ｘに向かって延設する。この折返し突条５０３は、シャツタプレート５の強度を高め、風雨と雪等の侵入防止が図れ、かつ庇部５０１との相乗効果も考えられる。
【００３９】
図中１２はファン、１３はファン１２のモータを示す。また、１４はモータ支持杆、１５はシャツタケーシング２に内設したベルマウスを示す。尚、換気扇Ａは、図示しないが風圧式シャツタを含む。また、シャツタ枠体１の上部には、風雨と雪等の侵入や騒音を回避する折曲り部（符号付さず）が設けられており、シャツタプレート５の自由端５ｄが添接される構造である。
【００４０】
次に本発明のシャツタプレート５の可動による開放と、又は復帰方向への可動による閉塞とを説明すると、ファン２０が作動すると、風圧でシャツタプレート５が押圧されることで、このシャツタプレート５の磁石１０と、枠体表面１０１−１（磁性体）との磁着が開放されるとともに、このシャツタプレート５が、その基端側５ｂを支点として可動する（片持ち式の可動）。この可動で、シャツタプレート５と、このシャツタプレート５を連動する連動板８が可動し、このシャツタプレート５は開放される。そして、このシャツタプレート５が可動限で停止されることで（連動板８が上昇限で停止される）、このシャツタプレート５等の開放が確保されるとともに、換気扇Ａ、又は風胴（吸込口、又は排気口）は開放状態となる。これによって、ハウスに対する内外気の給排気が行なわれる構造である。
【００４１】
この開放状態から、閉塞状態への移行（復帰）は、例えば、ファン２０を停止すると、例えば、シャツタプレート５は、基端側５ｂを枢着しているので、その自重と、シャツタプレート５の自重で復帰するとともに、このシャツタプレート５に偏芯して枢着した連動板８と、その自重との総合的な力で、このシャツタプレート５等が復帰する構造である。そして、この復帰後において、立上枠体部１０１の枠体表面１０１−１に、シャツタプレート５の裏面側５ｃの両端部５ａが面接触するか、又はこの復帰と同期して磁石１０と、この枠体表面１０１−１（磁性体）との固着が図れる構造である。この復帰後においては、例えば、この面接触、又は磁石１０は、風防板機能（防水板機能）を有しており、換気扇内への風水防止に有効である。また、この全ての閉塞状態は、突風時において、シャツタプレート５のバタ付きと、隙間からの風雨等の侵入防止に有効である。
【００４２】
尚、シャツタプレート５の裏面側５ｃの両端部５ａ、又は全体に、植毛、フェルト、ゴム等の密封性部材を設けることで、さらに気密性と、ガタ防止等が確保できる。
【００４３】
以上、大型の換気扇付のシャツタに付いて説明したが、前述した、例えば、図８、図９に示した他の風圧シャツタに、採用することで、同じ効果と特徴を発揮できる。
【符号の説明】
【００４４】
１            シャツタ枠体
１００        枠体部
１０１        立上枠体部
１０１−１    枠体表面
２            ケーシング
５            シャツタプレート
５ａ              端部
５ｂ              基端側
５ｃ              裏面側
５ｄ              自由端側
５ｅ              表面側
５００            段落し部
５００ａ          切欠き部
５０１            庇部
５０１ａ          切欠き部
５０２            平坦部
５０３            折返し突条
６                ブラケット
７                枢軸
８                連動板
１０              磁石
１２          ファン
１３          モータ
１４          モータ支持杆
１５          ベルマウス
Ａ            換気扇
Ｘ            長手方向
Ｙ            短手方向
【図１】
0005460242.tif 000002
【図２】
0005460242.tif 000003
【図３】
0005460242.tif 000004
【図４】
0005460242.tif 000005
【図５−１】
0005460242.tif 000006
【図５−２】
0005460242.tif 000007
【図６】
0005460242.tif 000008
【図７】
0005460242.tif 000009
【図８】
0005460242.tif 000010
【図９】
0005460242.tif 000011